(57)【要約】      （修正有）【課題】デジタルカメラ等の撮影装置において、とくに顔等の所定の対象物を含む場合に、撮影者の意図を反映させた画質を有する画像を取得する。【解決手段】スルー画像またはプレ画像等の事前撮影画像から、顔検出部が例えば顔等の所定対象物を検出する。事前撮影時または本撮影時における少なくとも１つの撮影条件を設定するための少なくとも１つの機能、および／または事前撮影または本撮影により撮影された画像に施す少なくとも１つの画像処理条件を設定するための少なくとも１つの機能からなる画像取得機能のうち、事前撮影時または本撮影時に使用する画像取得機能を、所定の対象物の検出の有無と撮影モードと、あるいは、所定の対象物の検出の有無と事前撮影画像または本画像のシーンとに応じてＣＰＵが設定する。そして、設定された画像取得機能のみを使用して画像を取得する。【選択図】図４
2011254487.tif 000002
【特許請求の範囲】
【請求項１】
撮影を行う撮影手段と、
前記撮影手段により撮影された事前撮影画像から所定の対象物を検出する対象物検出手段と、
事前撮影時または本撮影時における少なくとも１つの撮影条件を設定するための少なくとも１つの機能、および／または前記事前撮影または本撮影により撮影された画像に施す少なくとも１つの画像処理条件を設定するための少なくとも１つの機能からなる画像取得機能のうち、前記事前撮影時または前記本撮影時に使用する画像取得機能を前記所定の対象物の検出の有無と撮影モードとに応じて設定する機能設定手段と、
該設定された画像取得機能に基づく前記撮影条件および／または前記画像処理条件を使用して前記画像を取得する処理制御手段とを備えたことを特徴とする撮影装置。
【請求項２】
撮影を行う撮影手段と、
前記撮影手段により撮影された事前撮影画像から所定の対象物を検出する対象物検出手段と、
事前撮影時または本撮影時における少なくとも１つの撮影条件を設定するための少なくとも１つの機能、および／または前記事前撮影または本撮影により撮影された画像に施す少なくとも１つの画像処理条件を設定するための少なくとも１つの機能からなる画像取得機能のうち、前記事前撮影時または前記本撮影時に使用する画像取得機能を前記所定の対象物の検出の有無と前記事前撮影画像または前記本画像のシーンとに応じて設定する機能設定手段と、
該設定された画像取得機能に基づく前記撮影条件および／または前記画像処理条件を使用して前記画像を取得する処理制御手段とを備えたことを特徴とする撮影装置。
【請求項３】
撮影を行う撮影手段と、
前記撮影手段により撮影された本画像から所定の対象物を検出する対象物検出手段と、
前記本撮影により撮影された画像に施す少なくとも１つの画像処理条件を設定するための少なくとも１つの機能からなる画像取得機能のうち、前記本撮影時に使用する画像取得機能を前記所定の対象物の検出の有無と撮影モードとに応じて設定する機能設定手段と、
該設定された画像取得機能に基づく画像処理条件を使用して前記画像を取得する処理制御手段とを備えたことを特徴とする撮影装置。
【請求項４】
撮影を行う撮影手段と、
前記撮影手段により撮影された本画像から所定の対象物を検出する対象物検出手段と、
前記本撮影により撮影された画像に施す少なくとも１つの画像処理条件を設定するための少なくとも１つの機能からなる画像取得機能のうち、前記本撮影時に使用する画像取得機能を前記所定の対象物の検出の有無と事前撮影画像または前記本画像のシーンとに応じて設定する機能設定手段と、
該設定された画像取得機能に基づく画像処理条件を使用して前記画像を取得する処理制御手段とを備えたことを特徴とする撮影装置。
【請求項５】
前記画像取得機能を所望とする内容に変更可能な変更手段をさらに備えたことを特徴とする請求項１から４のいずれか１項記載の撮影装置。
【請求項６】
前記変更手段は、変更指示を受け付けることにより前記画像取得機能を所望とする内容に変更可能な手段であることを特徴とする請求項５記載の撮影装置。
【請求項７】
前記事前撮影画像または前記本画像とともに前記設定された画像取得機能を表示する表示手段をさらに備えたことを特徴とする請求項１から６のいずれか１項記載の撮影装置。
【請求項８】
前記機能設定手段は、
撮影モードと前記事前撮影画像または前記本画像のシーンとに応じて前記使用する画像取得機能を設定するものであり、
前記機能設定手段は、前記シーンの解析における確信度が低い際、前記シーンに応じて前記使用する画像取得機能を停止するように設定するものであることを特徴とする請求項１から４のいずれか１項記載の撮影装置。
【請求項９】
前記機能設定手段は、
撮影モードと前記事前撮影画像または前記本画像のシーンとに応じて前記使用する画像取得機能を設定するものであり、
前記機能設定手段は、前記シーンの解析における確信度が高い際、前記撮影モードに応じて前記画像取得機能を設定するよりも、前記事前撮影画像または前記本画像のシーンに応じて前記使用する画像取得機能を設定する方を優先して前記画像取得機能を設定するものであることを特徴とする請求項１から４のいずれか１項記載の撮影装置。
【請求項１０】
撮影を行う撮影手段により撮影された事前撮影画像から所定の対象物を検出し、
事前撮影時または本撮影時における少なくとも１つの撮影条件を設定するための少なくとも１つの機能、および／または前記事前撮影または本撮影により撮影された画像に施す少なくとも１つの画像処理条件を設定するための少なくとも１つの機能からなる画像取得機能のうち、前記事前撮影時または前記本撮影時に使用する画像取得機能を前記所定の対象物の検出の有無と撮影モードとに応じて設定し、
該設定された画像取得機能に基づく前記撮影条件および／または前記画像処理条件を使用して前記画像を取得することを特徴とする撮影方法。
【請求項１１】
撮影を行う撮影手段により撮影された事前撮影画像から所定の対象物を検出し、
事前撮影時または本撮影時における少なくとも１つの撮影条件を設定するための少なくとも１つの機能、および／または前記事前撮影または本撮影により撮影された画像に施す少なくとも１つの画像処理条件を設定するための少なくとも１つの機能からなる画像取得機能のうち、前記事前撮影時または前記本撮影時に使用する画像取得機能を前記所定の対象物の検出の有無と前記事前撮影画像または前記本画像のシーンとに応じて設定し、
該設定された画像取得機能に基づく前記撮影条件および／または前記画像処理条件を使用して前記画像を取得することを特徴とする撮影方法。
【請求項１２】
撮影を行う撮影手段により撮影された本画像から所定の対象物を検出し、
前記本撮影により撮影された画像に施す少なくとも１つの画像処理条件を設定するための少なくとも１つの機能からなる画像取得機能のうち、前記本撮影時に使用する画像取得機能を前記所定の対象物の検出の有無と撮影モードとに応じて設定し、
該設定された画像取得機能に基づく画像処理条件を使用して前記画像を取得することを特徴とする撮影方法。
【請求項１３】
撮影を行う撮影手段により撮影された本画像から所定の対象物を検出し、
前記本撮影により撮影された画像に施す少なくとも１つの画像処理条件を設定するための少なくとも１つの機能からなる画像取得機能のうち、前記本撮影時に使用する画像取得機能を前記所定の対象物の検出の有無と事前撮影画像または前記本画像のシーンとに応じて設定し、
該設定された画像取得機能に基づく画像処理条件を使用して前記画像を取得することを特徴とする撮影方法。
【請求項１４】
撮影を行う撮影手段により撮影された事前撮影画像から所定の対象物を検出する手順と、
事前撮影時または本撮影時における少なくとも１つの撮影条件を設定するための少なくとも１つの機能、および／または前記事前撮影または本撮影により撮影された画像に施す少なくとも１つの画像処理条件を設定するための少なくとも１つの機能からなる画像取得機能のうち、前記事前撮影時または前記本撮影時に使用する画像取得機能を前記所定の対象物の検出の有無と撮影モードとに応じて設定する手順と、
該設定された画像取得機能に基づく前記撮影条件および／または前記画像処理条件を使用して前記画像を取得する手順とを有する撮影方法をコンピュータに実行させるためのプログラム。
【請求項１５】
撮影を行う撮影手段により撮影された事前撮影画像から所定の対象物を検出する手順と、
事前撮影時または本撮影時における少なくとも１つの撮影条件を設定するための少なくとも１つの機能、および／または前記事前撮影または本撮影により撮影された画像に施す少なくとも１つの画像処理条件を設定するための少なくとも１つの機能からなる画像取得機能のうち、前記事前撮影時または前記本撮影時に使用する画像取得機能を前記所定の対象物の検出の有無と前記事前撮影画像または前記本画像のシーンとに応じて設定する手順と、
該設定された画像取得機能に基づく前記撮影条件および／または前記画像処理条件を使用して前記画像を取得する手順とを有する撮影方法をコンピュータに実行させるためのプログラム。
【請求項１６】
撮影を行う撮影手段により撮影された本画像から所定の対象物を検出する手順と、
前記本撮影により撮影された画像に施す少なくとも１つの画像処理条件を設定するための少なくとも１つの機能からなる画像取得機能のうち、前記本撮影時に使用する画像取得機能を前記所定の対象物の検出の有無と撮影モードとに応じて設定する手順と、
該設定された画像取得機能に基づく前記画像処理条件を使用して前記画像を取得する手順とを有する撮影方法をコンピュータに実行させるためのプログラム。
【請求項１７】
撮影を行う撮影手段により撮影された本画像から所定の対象物を検出する手順と、
前記本撮影により撮影された画像に施す少なくとも１つの画像処理条件を設定するための少なくとも１つの機能からなる画像取得機能のうち、前記本撮影時に使用する画像取得機能を前記所定の対象物の検出の有無と事前撮影画像または前記本画像のシーンとに応じて設定する手順と、
該設定された画像取得機能に基づく前記画像処理条件を使用して前記画像を取得する手順とを有する撮影方法をコンピュータに実行させるためのプログラム。
【発明の詳細な説明】
【技術分野】
【０００１】
本発明は、撮影により画像を取得するデジタルカメラ等の撮影装置および撮影方法並びに撮影方法をコンピュータに実行させるためのプログラムに関するものである。
【背景技術】
【０００２】
デジタルカメラによる撮影において、撮影により取得した画像から例えば顔等の対象物を検出し、その対象物の検出結果に応じて画像に施す画像処理の条件を変更したり、撮影時における撮影条件を変更したりすることが行われている。例えば、画面内における単一被写体の専有面積が所定値以上である場合に、その被写体の明るさに応じてホワイトバランスの調整を行う手法が提案されている（特許文献１参照）。また、被写体の明るさ情報に基づいてカメラのフラッシュを発光させるか否かを判断するとともに、撮影者によるフラッシュ発光の指示情報を受け取り、判断結果を表す情報と指示情報とを撮影により取得した画像とともに記憶する手法も提案されている（特許文献２参照）。また、撮影時において撮影モードを種々設定可能とし、設定した撮影モード情報を画像に付与して保存するデジタルカメラにおいて、ポートレートモードが設定されている画像について、そのポートレートモードが撮影者が意図して設定したものであるか否かを判定し、その判定が肯定されると階調処理を行わないようにし、判定が否定されると階調処理を行うようにする手法も提案されている（特許文献３参照）。
【先行技術文献】
【特許文献】
【０００３】
【特許文献１】特開平１０−１３６３９０号公報
【特許文献２】特開２００３−１４３５２４号公報
【特許文献３】特開２００５−１０２１５４号公報
【発明の概要】
【発明が解決しようとする課題】
【０００４】
一方、デジタルカメラにおいては、スルー画像またはプレ画像から顔等の所定対象物を検出した場合、検出した所定対象物を用いて、本撮影時における撮影条件および画像処理時における画像処理条件が設定される。この場合、撮影条件を設定するためには、露出を設定するためのＡＥ処理、焦点位置を検出するためのＡＦ処理、ホワイトバランスを自動調整するＡＷＢ処理、フラッシュのオン／オフを決定するための処理等の機能が使用される。また、画像処理条件を設定するためには、階調を補正する階調処理等の機能が使用される。
【０００５】
ところで、デジタルカメラにおいては、撮影モードとしてフルオートモードやマニュアルモードを設定可能であるが、マニュアルモードを設定して撮影を行った場合には、撮影者が画像に撮影時の雰囲気を残すことを所望する場合が多い。とくに、顔等の所定の被写体を含めて撮影を行った場合には、その顔に対して撮影者の意図を表すように明るさや階調が設定されている場合がある。
【０００６】
しかしながら、撮影により取得される画像に所定対象物が含まれる場合において、上述した複数の機能をすべて使用して撮影条件および画像処理条件を設定すると、撮影者が意図した画質を有する画像が得られない場合がある。とくに、上記特許文献１〜３に記載の手法においては、ホワイトバランスの調整やフラッシュ発光等の機能が自動的に使用されてしまうため、撮影者の意図を反映した画質を有する画像を取得することができない。
【０００７】
本発明は、上記事情に鑑みなされたものであり、デジタルカメラ等の撮影装置において、とくに顔等の所定の対象物を含む場合に、撮影者の意図を反映させた画質を有する画像を取得することを目的とする。
【課題を解決するための手段】
【０００８】
本発明による第一の撮影装置は、撮影を行う撮影手段と、
前記撮影手段により撮影された事前撮影画像から所定の対象物を検出する対象物検出手段と、
前記所定の対象物が検出された場合に、事前撮影時または本撮影時における少なくとも１つの撮影条件を設定するための少なくとも１つの機能、および／または前記事前撮影または本撮影により撮影された画像に施す少なくとも１つの画像処理条件を設定するための少なくとも１つの機能からなる画像取得機能のうち、前記事前撮影時または前記本撮影時に使用する画像取得機能を前記所定の対象物に応じて設定する機能設定手段と、
該設定された画像取得機能に基づく前記撮影条件および／または前記画像処理条件を使用して前記画像を取得する処理制御手段とを備えたことを特徴とするものである。
【０００９】
また、本発明による第二の撮影装置は、撮影を行う撮影手段と、
前記撮影手段により撮影された本撮影画像から所定の対象物を検出する対象物検出手段と、
前記所定の対象物が検出された場合に、前記本撮影により撮影された画像に施す少なくとも１つの画像処理条件を設定するための少なくとも１つの機能からなる画像取得機能のうち、前記本撮影時に使用する画像取得機能を前記所定の対象物に応じて設定する機能設定手段と、
該設定された画像取得機能に基づく前記画像処理条件を使用して前記画像を取得する処理制御手段とを備えたことを特徴とするものである。
【００１０】
「事前撮影画像」とは、シャッタボタンを全押する本撮影によりメモリカード等の記録媒体に記録される本画像ではなく、例えば、撮影前にモニタに表示されるスルー画像、シャッタボタンを半押しした際に撮影条件および画像処理条件を決定するために取得されるプレ画像等、本画像よりも画素数が少ない画像である。
【００１１】
「画像取得機能を所定の対象物に応じて設定する」とは、複数の画像取得機能のうち、所定の対象物が高画質となったり、撮影者の撮影時における意図を反映させることが可能な機能を設定すること意味する。
【００１２】
なお、本発明による撮影装置においては、前記機能設定手段を、さらに前記画像取得機能を設定する手段としてもよい。
【００１３】
また、本発明による撮影装置においては、前記機能設定手段を、前記事前撮影画像または前記本画像のシーンに応じて前記使用する画像取得機能を設定する手段としてもよい。
【００１４】
また、本発明による撮影装置においては、前記画像取得機能を所望とする内容に変更可能な変更手段をさらに備えることが好ましい。
【００１５】
この場合、前記変更手段を、変更指示を受け付けることにより前記画像取得機能を所望とする内容に変更可能な手段としてもよい。
【００１６】
また、本発明による撮影装置においては、前記事前撮影画像または前記本画像とともに前記設定された画像取得機能を表示する表示手段をさらに備えるものとしてもよい。
【００１７】
本発明による第一の撮影方法は、撮影を行う撮影手段により撮影された事前撮影画像から所定の対象物を検出し、
前記所定の対象物が検出された場合に、事前撮影時または本撮影時における少なくとも１つの撮影条件を設定するための少なくとも１つの機能、および／または前記事前撮影または本撮影により撮影された画像に施す少なくとも１つの画像処理条件を設定するための少なくとも１つの機能からなる画像取得機能のうち、前記事前撮影時または前記本撮影時に使用する画像取得機能を前記所定の対象物に応じて設定し、
該設定された画像取得機能に基づく前記撮影条件および／または前記画像処理条件を使用して前記画像を取得することを特徴とするものである。
【００１８】
本発明による第二の撮影方法は、撮影を行う撮影手段により撮影された本撮影画像から所定の対象物を検出し、
前記所定の対象物が検出された場合に、前記本撮影により撮影された画像に施す少なくとも１つの画像処理条件を設定するための少なくとも１つの機能からなる画像取得機能のうち、前記本撮影時に使用する画像取得機能を前記所定の対象物に応じて設定し、
該設定された画像取得機能に基づく前記画像処理条件を使用して前記画像を取得することを特徴とするものである。
【００１９】
なお、本発明による第一または第二の撮影方法をコンピュータに実行させるためのプログラムとして提供してもよい。
【発明の効果】
【００２０】
本発明によれば、事前撮影画像から所定の対象物が検出された場合に、撮影時における少なくとも１つの撮影条件を設定するための少なくとも１つの機能、および／または本撮影により撮影された画像に施す少なくとも１つの画像処理条件を設定するための少なくとも１つの機能からなる複数の画像取得機能のうち、事前撮影時または本撮影時に使用する画像取得機能が、所定の対象物に応じて設定される。そして、設定された画像取得機能のみに基づく撮影条件および／または画像処理条件が使用されて本撮影により本画像が取得される。このため、所定の対象物が検出された場合にはその所定の対象物に応じた撮影条件および／または画像処理条件により事前撮影画像または本画像が取得されることとなる。したがって、所定の対象物に応じた画質を有する事前撮影画像または本画像を得ることができる。
【００２１】
また、撮影モードに応じて画像取得機能を設定することにより、とくに撮影者が所定の対象物に対して自身の意図を反映させて撮影を行った場合には、その意図を反映させるような撮影条件および／または画像処理条件により本画像が取得されることとなる。したがって、撮影者の意図に応じた画質を有する本画像を得ることができる。
【００２２】
また、事前撮影画像または本画像のシーンに応じて画像取得機能を設定することにより、とくに撮影者がシーンの特徴を反映させて撮影を行った場合には、その意図を反映させるような撮影条件および／または画像処理条件により本画像が取得されることとなる。したがって、撮影者の意図に応じた画質を有する事前撮影画像または本画像を得ることができる。
【００２３】
また、画像取得機能を所望とする内容に変更可能とすることにより、撮影者が意図するように本撮影時に使用する撮影条件および／または画像処理条件を設定することができるため、確実に撮影者の意図に応じた画質を有する本画像を得ることができる。
【００２４】
また、撮影予定画像または本画像の表示手段への表示時に、設定した画像取得機能を表示することにより、設定した画像取得機能を撮影者に知らせることが可能となる。
【図面の簡単な説明】
【００２５】
【図１】本発明の撮影装置の実施形態であるデジタルカメラの背面を中心とする斜視図
【図２】本発明の撮影装置の実施形態であるデジタルカメラの前面を中心とする斜視図
【図３】本発明の撮影装置の実施形態であるデジタルカメラの構成を示す概略ブロック図
【図４】本実施形態において行われる処理を示すフローチャート
【図５】撮影モードの種類と使用する機能との関係を表すテーブルを示す図
【図６】機能設定画面を示す図
【図７】撮影モードの種類、顔が検出されたことを表す情報および設定した機能を、プレ画像とともに液晶モニタに表示した状態を示す図
【図８】本発明の撮影装置の他の実施形態であるデジタルカメラの構成を示す概略ブロック図
【図９】他の実施形態において行われる処理を示すフローチャート
【図１０Ａ】撮影モードとシーン解析を共に設定した場合の液晶モニタに表示した状態を示す図（その１）
【図１０Ｂ】撮影モードとシーン解析を共に設定した場合の液晶モニタに表示した状態を示す図（その２）
【発明を実施するための形態】
【００２６】
以下、図面を参照して本発明の実施形態について説明する。図１は本発明の撮影装置の実施形態であるデジタルカメラ１の背面を中心とする斜視図である。図１に示すように、このデジタルカメラ１の背面には、撮影者による操作のためのインターフェースとして、動作モードスイッチ１１、メニュー／ＯＫボタン１２、ズーム／上下矢印レバー１３、左右矢印ボタン１４、Ｂａｃｋ（戻る）ボタン１５、表示切替ボタン１６を有している他、ファインダ１７、液晶モニタ１８を有している。また、上面には、レリーズボタン１９を有している。図２は本実施形態によるデジタルカメラ１の前面を中心とする斜視図である。図２に示すように、デジタルカメラ１の前面には、レンズ２０、レンズカバー２１、電源スイッチ２２、ファインダ窓２３、フラッシュ２４、セルフタイマーランプ２５を有している。
【００２７】
動作モードスイッチ１１は、静止画撮影モード、動画撮影モードおよび再生モードの各動作モードを切り替えるためのスライドスイッチである。
【００２８】
メニュー／ＯＫボタン１２は、押下することによって、撮影モードの種類、フラッシュ発光モード、記録画素数や感度等の設定を行うための各種メニューを液晶モニタ１８に表示させたり、液晶モニタ１８に表示されたメニューに基づく選択・設定を確定させたりするためのボタンである。なお、メニュー／ＯＫボタン１２により、撮影モードを露出やホワイトバランスをすべて自動で設定するためのフルオートモード、およびマニュアルで設定するためのマニュアルモードに設定可能である。なお、マニュアルモードとしては、プログラムオートモード、絞り優先モード、シャッタ優先モードおよびマニュアル露出モードを設定可能である。また、メニュー／ＯＫボタン１２により、風景、花、夕焼けおよび人物等のシーンの種類に応じた撮影を行うモードをマニュアルモードとして設定することも可能である。
【００２９】
ズーム／上下矢印レバー１３は、上下方向にレバーを倒すことによって、撮影時は望遠／広角の調整を行い、各種設定時は液晶モニタ１８に表示されるメニュー画面中のカーソルを上下に移動させるためのレバーである。
【００３０】
左右矢印ボタン１４は、各種設定時に液晶モニタ１８に表示されるメニュー画面中のカーソルを左右に移動させるためのボタンである。
【００３１】
Ｂａｃｋ（戻る）ボタン１５は、押下することによって各種設定操作を中止し、１つ前の画面に戻るためのボタンである。
【００３２】
表示切替ボタン１６は、押下することによって、液晶モニタ１８の表示のＯＮ／ＯＦＦ、各種ガイド表示、文字表示のＯＮ／ＯＦＦ等を切り替えるためのボタンである。
【００３３】
各ボタン、レバーの操作によって設定された内容は、液晶モニタ１８中の表示や、ファインダ内のランプ、スライドレバーの位置等によって確認することができるようになっている。
【００３４】
液晶モニタ１８は、撮影の際に被写体確認用のスルー画像を表示することにより、電子ビューファインダとして機能する他、撮影後の静止画や動画の再生表示、各種設定メニューの表示を行う。
【００３５】
図３は本発明の撮影装置の実施形態であるデジタルカメラの構成を示す概略ブロック図である。図３に示すデジタルカメラ１は、撮影により取得した画像データを、Ｅｘｉｆ形式の画像ファイルに変換して、本体に着脱可能な外部記録メディア７０へ記録するものである。
【００３６】
このデジタルカメラの操作系としては、前述の動作モードスイッチ１１、メニュー／ＯＫボタン１２、ズーム／上下矢印レバー１３、左右矢印ボタン１４、Ｂａｃｋ（戻る）ボタン１５、表示切替ボタン１６、レリーズボタン１９、電源スイッチ２２と、これらのスイッチ類の操作内容をＣＰＵ７５に伝えるためのインターフェース部分である操作系制御部７４とを有している。
【００３７】
光学系としては、フォーカスレンズ２０ａおよびズームレンズ２０ｂを有している。各々のレンズは、モータとモータドライバとからなるフォーカスレンズ駆動部５１およびズームレンズ駆動部５２によって光軸方向に移動可能である。フォーカスレンズ駆動部５１はＡＦ処理部６２から出力されるフォーカス駆動量データに基づいて、ズームレンズ駆動部５２はズーム／上下矢印レバー１３の操作量データに基づいて、各々のレンズの移動を制御する。
【００３８】
また、絞り５４は、モータとモータドライバとからなる絞り駆動部５５によって駆動される。この絞り駆動部５５は、ＡＥ／ＡＷＢ処理部６３から出力される絞り値データに基づいて絞り径の調整を行う。
【００３９】
シャッタ５６は、メカニカルシャッタであり、モータとモータドライバとからなるシャッタ駆動部５７によって駆動される。シャッタ駆動部５７は、レリーズボタン１９の押下により発生する信号と、ＡＥ／ＡＷＢ処理部６３から出力されるシャッタスピードデータとに応じて、シャッタ５６の開閉の制御を行う。
【００４０】
光学系の後方には、撮像素子であるＣＣＤ５８を有している。ＣＣＤ５８は、多数の受光素子を２次元的に配列した光電面を有しており、光学系を通過した被写体光がこの光電面に結像し、光電変換される。光電面の前方には、各画素に光を集光するためのマイクロレンズアレイと、Ｒ，Ｇ，Ｂ各色のフィルタが規則的に配列されたカラーフィルタアレイとが配置されている。ＣＣＤ５８は、ＣＣＤ制御部５９から供給される垂直転送クロックおよび水平転送クロックに同期して、画素毎に蓄積された電荷を１ラインずつシリアルなアナログ撮影信号として出力する。各画素において電荷を蓄積する時間、すなわち、露出時間は、ＣＣＤ制御部５９から与えられる電子シャッタ駆動信号によって決定される。また、ＣＣＤ５８はＣＣＤ制御部５９により、あらかじめ定められた大きさのアナログ撮像信号が得られるように、ゲインが調整されている。
【００４１】
ＣＣＤ５８から取り込まれたアナログ撮影信号は、アナログ信号処理部６０に入力される。アナログ信号処理部６０は、アナログ信号のノイズを除去する相関２重サンプリング回路（ＣＤＳ）と、アナログ信号のゲインを調節するオートゲインコントローラ（ＡＧＣ）と、アナログ信号をデジタル信号に変換するＡ／Ｄコンバータ（ＡＤＣ）とからなる。このデジタル信号に変換された画像データは、画素毎にＲ，Ｇ，Ｂの濃度値を持つＣＣＤ−ＲＡＷデータである。
【００４２】
タイミングジェネレータ７２は、タイミング信号を発生させるものであり、このタイミング信号をシャッタ駆動部５７、ＣＣＤ制御部５９、アナログ信号処理部６０に供給することにより、レリーズボタン１９の操作、シャッタ５６の開閉、ＣＣＤ５８の電荷の取込み、およびアナログ信号処理部６０の処理の同期を取っている。
【００４３】
フラッシュ制御部７３は、撮影時にフラッシュ２４を発光させる。具体的には、フラッシュ発光モードがフラッシュオンとされている場合、およびフラッシュ発光モードがオートモードである場合において後述するプレ画像が所定の明るさにない場合にフラッシュ２４をオンとして、撮影時にフラッシュ２４を発光させる。一方、フラッシュ発光モードがフラッシュオフとされている場合、撮影時にフラッシュ２４の発光を禁止する。
【００４４】
なお、フラッシュ制御部７３がフラッシュをオン／オフする機能は、後述するように顔検出の有無および撮影モードの種類に応じて、本撮影時に使用するか否かが設定される。
【００４５】
画像入力コントローラ６１は、アナログ信号処理部６０から入力されたＣＣＤ−ＲＡＷデータをフレームメモリ６６に書き込む。
【００４６】
フレームメモリ６６は、画像データに対して後述の各種デジタル画像処理（信号処理）を行う際に使用する作業用メモリであり、例えば、一定周期のバスクロック信号に同期してデータ転送を行うＳＤＲＡＭ(Synchronous Dynamic Random Access Memory)が使用される。
【００４７】
表示制御部７１は、フレームメモリ６６に格納された画像データをスルー画像として液晶モニタ１８に表示させたり、再生モード時に外部記録メディア７０に保存されている画像データを液晶モニタ１８に表示させたりするためのものである。なお、スルー画像は、撮影モードが選択されている間、所定時間間隔でＣＣＤ５８により撮影される。
【００４８】
ＡＦ処理部６２およびＡＥ／ＡＷＢ処理部６３は、プレ画像に基づいて撮影条件を決定する。このプレ画像とは、レリーズボタン１９が半押しされることによって発生する半押し信号を検出したＣＰＵ７５がＣＣＤ５８にプレ撮影を実行させた結果、フレームメモリ６６に格納された画像データにより表される画像である。
【００４９】
ＡＦ処理部６２は、プレ画像に基づいて焦点位置を検出し、フォーカス駆動量データを出力する（ＡＦ処理）。焦点位置の検出方式としては、例えば、ピントが合った状態では画像のコントラストが高くなるという特徴を利用して合焦位置を検出するパッシブ方式が考えられる。
【００５０】
ＡＥ／ＡＷＢ処理部６３は、プレ画像に基づいて被写体輝度を測定し、測定した被写体輝度に基づいて絞り値およびシャッタスピード等を決定し、絞り値データおよびシャッタスピードデータを露出設定値として決定するとともに（ＡＥ処理）、撮影時のホワイトバランスを自動調整する（ＡＷＢ処理）。なお、露出およびホワイトバランスについては、撮影モードがマニュアルモードに設定されている場合には、デジタルカメラ１の撮影者がマニュアル操作により設定可能である。また、露出およびホワイトバランスが自動で設定された場合にも、撮影者がメニュー／ＯＫボタン１２等の操作系から指示を行うことにより、露出およびホワイトバランスをマニュアル調整することが可能である。
【００５１】
なお、ＡＦ処理部６２のＡＦ処理機能、ＡＥ／ＡＷＢ処理部６３のＡＥ機能、ＡＷＢ処理機能は、後述するように顔検出の有無および撮影モードの種類に応じて、本撮影時に使用するか否かが設定される。
【００５２】
画像処理部６４は、本画像の画像データに対して、階調補正、シャープネス補正、色補正等の画質補正処理、ＣＣＤ−ＲＡＷデータを輝度信号であるＹデータと、青色色差信号であるＣｂデータおよび赤色色差信号であるＣｒデータとからなるＹＣデータに変換するＹＣ処理を行う。この本画像とは、レリーズボタン１９が全押しされることによって実行される本撮影においてＣＣＤ５８から取り込まれ、アナログ信号処理部６０、画像入力コントローラ６１経由でフレームメモリ６６に格納された画像データによる画像である。本画像の画素数の上限は、ＣＣＤ５８の画素数によって決定されるが、例えば、ファイン、ノーマル等の設定により、記録画素数を変更することができる。一方、スルー画像およびプレ画像の画像数は、本画像よりも少なく、例えば、本画像の１／１６程度の画素数で取り込まれる。
【００５３】
なお、画像処理部６４の階調処理機能は、後述するように顔検出の有無および撮影モードの種類に応じて、本撮影時に使用するか否かが設定される。
【００５４】
圧縮／伸長処理部６５は、画像処理部６４によって補正・変換処理が行われた本画像の画像データに対して、例えば、ＪＰＥＧ等の圧縮形式で圧縮処理を行い、画像ファイルを生成する。この画像ファイルには、Ｅｘｉｆフォーマット等に基づいて、撮影日時等の付帯情報が格納されたタグが付加される。また、圧縮／伸長処理部６５は、再生モードの場合には、外部記録メディア７０から圧縮された画像ファイルを読み出し、伸張処理を行う。伸長後の画像データは液晶モニタ１８に出力される。
【００５５】
メディア制御部６７は、外部記録メディア７０にアクセスして画像ファイルの書き込みと読み込みの制御を行う。
【００５６】
内部メモリ６８は、デジタルカメラ１において設定される各種定数、およびＣＰＵ７５が実行するプログラム等を格納する。
【００５７】
顔検出部８０は、スルー画像から人物の顔を検出する。具体的には、顔に含まれる顔の特徴を有する領域（例えば肌色を有する、目を有する、顔の形状を有する等）を顔領域として検出する。
【００５８】
例えば、特開２００６−２０２２７６号（以下、参考文献１という）の手法を用いることができる。参考文献１の手法は、顔の追跡は、動きベクトル、特徴点検出等の公知の手法や学習データに対してリサンプリングの際に重みを逐次的に更新していき，できた機械を最後に学習機械に対する重みをつけて足し合わせて統合学習機械をつくる手法であるＡｄａｂｏｏｓｔに基づいたマシンラーニング手法を利用するものであることが考えられる。例えば、平均フレームモデルを実際の顔画像に嵌め込み、平均フレームモデル上の各ランドマークの位置を、顔から検出された相対応するランドマークの位置に合致するように移動することによって平均フレームモデルを変形させて顔のフレームモデルを構築するのに際し、マシンラーニング手法により、所定のランドマークであることが分かっている複数のサンプル画像上の点における輝度プロファイルと、該ランドマークではないことが分かっている複数のサンプル画像上の点における輝度プロファイルとに対して学習を行って得た識別器および各識別器に対する識別条件を用いて、顔画像から当該ランドマークを示す点の位置を検出する手法である。また、特開２００４−３３４８３６号（以下、参考文献２という）の手法を用いることも可能である。参考文献２の手法は、画像データから一定の大きさの画像データを切り出し、各切出画像データと特徴部分画像データの照合データとを比較して前記処理対象画像中に前記特徴部分画像が存在するか否かを検出する画像データの特徴部分抽出方法を使用する手法である。なお、特開２００７−１１９７０号（以下、参考文献３という）の手法のように人物の顔領域以外に、動物の顔等を特定被写体として検出してもよい。
【００５９】
なお、本実施形態においては、プレ画像から顔を検出するようにしてもよい。
【００６０】
ＣＰＵ７５は、動作モードスイッチ１１等の操作系やＡＦ処理部６２等の各種処理部からの信号に応じてデジタルカメラ１の本体各部を制御する。また、ＣＰＵ７５は、顔検出部８０による顔検出の有無および撮影モードの種類に応じて、本撮影時に、ＡＦ処理機能、ＡＥ処理機能、ＡＷＢ処理機能、フラッシュオン／オフ機能および階調処理機能のいずれを撮影条件および／または画像処理条件として使用するかを設定し、ＡＦ処理部６２、ＡＥ／ＡＷＢ処理部６３、画像処理部６４およびフラッシュ制御部７３に指示を行う。
【００６１】
データバス７６は、画像入力コントローラ６１、各種処理部６２〜６５、フレームメモリ６６、メディア制御部６７、内部メモリ６８、表示制御部７１、顔検出部８０、およびＣＰＵ７５に接続されており、デジタル画像データ等のやり取りを行う。
【００６２】
次いで、以上の構成のデジタルカメラ１において撮影時に行われる処理について説明する。図４は本実施形態において行われる処理を示すフローチャートである。
【００６３】
まず、ＣＰＵ７５がデジタルカメラ１の動作モードを判定し（ステップＳＴ１）、再生モードである場合には、外部記録メディア７０に記録されている画像データを液晶モニタ１８に表示する再生処理を行い（ステップＳＴ２）、処理を終了する。
【００６４】
動作モードが撮影モードである場合には、スルー画像を撮影し（ステップＳＴ３）、次いで、顔検出部８０がスルー画像から顔を検出し（ステップＳＴ４）、さらに、レリーズボタン１９が半押しされたか否かを判断する（ステップＳＴ５）。ステップＳＴ５が否定されるとステップＳＴ３に戻り、ステップＳＴ３以降の処理を繰り返す。
【００６５】
ステップＳＴ５が肯定されると、プレ撮影を行ってプレ画像を取得し、顔検出部８０によるスルー画像からの顔の検出結果を取得し（ステップＳＴ６）、さらに検出結果に基づいて顔が検出されているか否かを判断する（ステップＳＴ７）。ステップＳＴ７が肯定されると、ＣＰＵ７５は現在設定されている撮影モードの種類を判別し（ステップＳＴ８）、撮影モードの種類に応じて、本撮影時にＡＦ処理機能、ＡＥ処理機能、ＡＷＢ処理機能、フラッシュオン／オフ機能および階調処理機能のいずれを撮影条件および／または画像処理条件として使用するかを設定し、ＡＦ処理部６２、ＡＥ／ＡＷＢ処理部６３、画像処理部６４およびフラッシュ制御部７３に指示を行う（撮影モードに応じた機能設定：ステップＳＴ９）。そして、ＡＦ処理部６２、ＡＥ／ＡＷＢ処理部６３、画像処理部６４およびフラッシュ制御部７３は、ＣＰＵ７５の指示に応じて、ＡＦ処理、ＡＥ処理、ＡＷＢ処理、フラッシュオン／オフの設定および／または階調処理を設定する（顔検出用の設定：ステップＳＴ１０）。以下、この機能の設定について詳細に説明する。
【００６６】
図５は撮影モードの種類と使用する機能との関係を表すテーブルを示す図である。図５に示すようにこのテーブルＴ１においては、撮影モードがフルオート系、マニュアル系およびシーン系の３種類に分類されている。フルオート系の撮影モードはＡＵＴＯ（フルオートモード）であり、フルオートモードには、ＡＦ処理機能、ＡＥ処理機能、ＡＷＢ処理機能、フラッシュオン／オフ機能および階調処理機能のすべてを使用する旨の情報が対応づけられている。
【００６７】
マニュアル系の撮影モードは、Ｐ（プログラムオートモード）、Ａ（絞り優先モード）、Ｓ（シャッタ優先モード）、およびＭ（マニュアル露出モード）であり、いずれのモードもＡＦ処理機能およびＡＷＢ処理機能のみを使用する旨の情報が対応づけられている。
【００６８】
シーン系の撮影モードは、風景モード、花モード、夕焼けモード、および人物モードであり、風景モードおよび花モードには、ＡＦ処理機能、ＡＥ処理機能、ＡＷＢ処理機能、フラッシュオン／オフ機能および階調処理機能のすべてを使用しない旨の情報が対応づけられている（すべてＯＦＦ）。一方、夕焼けモードにはＡＦ処理機能のみが、人物モードには、ＡＦ処理機能、ＡＥ処理機能、ＡＷＢ処理機能、フラッシュオン／オフ機能および階調処理機能のすべてを使用する旨の情報が対応づけられている。
【００６９】
したがって、ＣＰＵ７５は現在設定されている撮影モードに基づいてテーブルＴ１を参照することにより、ＡＦ処理機能、ＡＥ処理機能、ＡＷＢ処理機能、フラッシュオン／オフ機能および階調処理機能のいずれを使用すべきかの情報を取得し、この情報に基づいて、ＡＦ処理部６２、ＡＥ／ＡＷＢ処理部６３、画像処理部６４およびフラッシュ制御部７３に指示を行う。
【００７０】
なお、テーブルＴ１はあらかじめ作成されて内部メモリ６８に格納されているものであるが、テーブルＴ１は撮影者が所望とするように設定可能なものとしてもよい。例えば、液晶モニタ１８に図６に示す機能設定画面を表示し、撮影者が各種ボタンを使用することにより、各モードにおけるＡＦ処理機能、ＡＥ処理機能、ＡＷＢ処理機能、フラッシュオン／オフ機能および階調処理機能についてのＯＮ／ＯＦＦの設定を切り替えることができるようにしてもよい。なお、このようなすべてのモードの一覧を表示するようにする必要はなく、個々のモードについて個別に機能のＯＮ／ＯＦＦを切り替えることができるようにしてもよい。また、パソコンとデジタルカメラ１とを接続し、パソコンにおいて機能のＯＮ／ＯＦＦの設定を行うことができるようにし、設定の結果をパソコンからデジタルカメラ１に送信してテーブルＴ１を更新するようにしてもよい。
【００７１】
このように、使用する機能を撮影者が所望とするように変更可能とすることにより、撮影者が意図するように、本撮影時に使用する撮影条件および／または画像処理条件を設定することができるため、確実に撮影者の意図に応じた画質を有する本画像を得ることができる。
【００７２】
一方、ステップＳＴ７が否定されると、ＣＰＵ７５は撮影モードに応じた通常のＡＦ処理、ＡＥ処理、ＡＷＢ処理、フラッシュオン／オフおよび階調処理を行うよう、ＡＦ処理部６２、ＡＥ／ＡＷＢ処理部６３、画像処理部６４およびフラッシュ制御部７３に対して指示を行う（通常の機能設定、ステップＳＴ１１）。そして、ＡＦ処理部６２、ＡＥ／ＡＷＢ処理部６３、画像処理部６４およびフラッシュ制御部７３が、ＣＰＵ７５の指示に応じて、ＡＦ処理、ＡＥ処理、ＡＷＢ処理、フラッシュオン／オフおよび／または階調処理を設定する（通常の設定：ステップＳＴ１２）。
【００７３】
なお、顔が検出された場合には、撮影モードの種類、顔が検出されたことを表す情報および設定した機能を、プレ画像とともに液晶モニタ１８に表示することが好ましい。図７は撮影モードの種類、顔が検出されたことを表す情報および設定した機能を、プレ画像とともに液晶モニタ１８に表示した状態を示す図である。図７に示すように、液晶モニタ１８には、プレ画像９０と、撮影モードの種類を表す情報９１（ここではＡＵＴＯ）と、顔検出の有無を表す情報９２（ここでは検出したことを表す「顔検出」）と、設定した機能を表す情報９３（ここでは「すべて」）とが表示されている。これにより、撮影者は撮影モードの種類、顔が検出されたことを表す情報および設定した機能を知ることができる。
【００７４】
ステップＳＴ１０またはステップＳＴ１２に続いて、ＣＰＵ７５はレリーズボタン１９の半押しが解除されたか否かを判定し（ステップＳＴ１３）、ステップＳＴ１３が肯定されるとステップＳＴ３に戻り、ステップＳＴ３以降の処理を繰り返す。ステップＳＴ１３が否定されると、さらにレリーズボタン１９が全押しされたか否かを判定し（ステップＳＴ１４）、ステップＳＴ１４が否定されるとステップＳＴ１３に戻る。ステップＳＴ１４が肯定されると、本画像の撮影（本撮影）を行い（ステップＳＴ１５）、本撮影により取得された本画像に対して画像処理を施す（ステップＳＴ１６）。
【００７５】
この場合、本画像に顔が含まれる場合には、本画像から顔を検出し、検出した顔が所望とする画質を有するように画像処理を行うことが好ましい。
【００７６】
次いで、処理済みの本画像を液晶モニタ１８に表示するとともに、外部記録メディア７０に記録する（ステップＳＴ１７）。そして、電源がオフとされたか否かを判定し（ステップＳＴ１８）、ステップＳＴ１８が否定されるとステップＳＴ１に戻り、ステップＳＴ１以降の処理を繰り返す。ステップＳＴ１８が肯定されると、処理を終了する。
【００７７】
このように、本実施形態においては、スルー画像から顔が検出された場合に、ＡＦ処理機能、ＡＥ処理機能、ＡＷＢ処理機能、フラッシュオン／オフ機能および階調処理機能のいずれを本撮影時に使用するかを撮影モードに応じて設定し、設定した機能に応じて本画像を取得するようにしたものである。このため、顔が検出された場合には顔に応じた撮影条件および／または画像処理条件により本画像が取得されることとなり、その結果、顔に応じた画質を有する本画像を得ることができる。
【００７８】
とくに、撮影モードに応じて機能を設定することにより、とくに撮影者が被写体である顔に対して自身の意図を反映させて撮影を行った場合には、その意図を反映させるような撮影条件および／または画像処理条件により本画像が取得されることとなる。したがって、撮影者の意図に応じた画質を有する本画像を得ることができる。
【００７９】
なお、上記実施形態においては、顔が検出された場合において、本撮影時に使用した機能を表す情報を撮影モードを表す情報とともに本画像に付与して外部記録メディア７０に記録するようにしてもよい。具体的には、使用した機能を本画像のタグに記述することにより機能を表す情報を本画像に付与すればよい。
【００８０】
このように機能を表す情報が付与された本画像を再生モード時に液晶モニタ１８に表示する場合には、図７に示す場合と同様に、撮影モードの種類、顔が検出されたことを表す情報および設定した機能を、本画像とともに液晶モニタ１８に表示することが好ましい。
【００８１】
また、上記実施形態においては、図８に示すようにデジタルカメラ１にスルー画像またはプレ画像に基づいて撮影するシーンを解析するシーン解析部８２を設け、シーン解析結果に応じて、本画像の撮影時に、ＡＦ処理機能、ＡＥ処理機能、ＡＷＢ処理機能、フラッシュオン／オフ機能および階調処理機能のいずれを使用するかを設定するようにしてもよい。この場合、シーン解析結果に応じて、テーブルＴ１を参照することにより本画像の撮影時に使用する機能を設定すればよい。
【００８２】
シーン解析部８２におけるシーン解析手法の一例としては、例えば、特開２００５−３１０１２３号（以下、参考文献４という）の手法を用いることができる。参考文献４の手法は、所望の特定シーンに対応する特徴的部分の対象画像内における配置の傾向を考慮し、かつ撮影枠の取り方の違い等によるそれらの位置や面積割合の変動をも考慮して、様々な特定シーンの画像を選別する、特定のシーン選別にあたり複数の識別器を用いており、特定の識別器の閾値または複数の閾値の総和により、特定のシーン餞別を示す。また、特開２００５−１２２７２０号（以下、参考文献５という）の手法を用いることができる。参考文献５の手法は、特定シーンとして指定され得る複数のシーンごとに、そのシーンの識別に用いる特徴量の種類と識別条件とを規定した参照データが、メモリ内に格納されている。特定シーンとして指定され得る複数のシーンの識別に用いるすべての特徴量を、選別対象の画像データから導出し、指定された特定シーンに応じて、参照データが規定する特徴量の種類を参照し、それらの特徴量を選別対象の画像データから導出する。導出された特徴量に基づいて参照データ中の識別条件を参照し、所定の閾値であるか否か等により識別対象の画像データが特定シーンの画像のデータであるか否かを識別することを示す。
【００８３】
また、シーン解析部８２がシーン解析を行うように設定されており、かつシーン系の撮影モードが設定されている場合もある。
【００８４】
例えば、夕焼けのシーンである図１０Ａのように、撮影モードが人物モードであるにもかかわらず、スルー画像又はプレ画像上には被写体（人物）がいないことがある。その場合、夕焼けとしてのシーン解析の閾値が高い（人物としてのシーン解析の閾値は低い）ことが考えられる。撮影モードが設定されていても、シーン解析部８２が、特定のシーンであるとする所定の閾値が一定値以上であるとの結果（確信度が高い結果）が得られた場合は、撮影モードによる設定よりも、シーン解析部８２のシーン解析結果を優先して撮影条件又は画像処理条件を設定してもよい。なお、シーン解析結果のみを利用して、撮影条件又は画像処理条件を設定してもよい。
【００８５】
また、夕焼けのシーンである図１０Ｂの場合のように、撮影モードとして人物モードが設定され、スルー画像又はプレ画像上に被写体（人物）が存在している（Ｆ１〜Ｆ４は顔検出枠）ことがある。その場合、シーン解析部８２は、シーン解析で夕焼けシーンであると認定（解析）するが、一方で、人物シーンであるとも認定（解析）する。
【００８６】
シーン解析部８２は、夕焼けシーンであり人物シーンでもあると解析するが、結果的に両シーンである（または特定のシーンである）という確信度が所定の値より低い場合がある。そのような場合、シーン解析部８２の解析結果よりも、撮影モードによる設定を優先して撮影条件又は画像処理条件を設定してもよい。
【００８７】
また、撮影モードのみに応じて撮影条件又は画像処理条件を設定してもよく、その場合シーン解析部８２のシーン解析処理計算を停止してもよい。
【００８８】
なお、上記実施形態においては、所定の対象物を顔としているが、これに限定されるものではなく、顔以外の他の被写体でもよいものである。
【００８９】
また、上記実施形態においては、設定した各種機能を本撮影時に使用しているが、さらなるスルー画像の撮影時に、設定した各種機能を使用するようにしてもよい。また、プレ画像の撮影時にも設定した各種機能を使用するようにしてもよい。
【００９０】
また、上記実施形態においては、本画像に対して顔の検出を行うようにしてもよい。以下、これを本発明の他の実施形態として説明する。図９は本発明の他の実施形態において行われる処理を示すフローチャートである。
【００９１】
まず、ＣＰＵ７５がデジタルカメラ１の動作モードを判定し（ステップＳＴ２１）、再生モードである場合には、外部記録メディア７０に記録されている画像データを液晶モニタ１８に表示する再生処理を行い（ステップＳＴ２２）、処理を終了する。
【００９２】
動作モードが撮影モードである場合には、スルー画像を撮影し（ステップＳＴ２３）、次いで、顔検出部８０がスルー画像から顔を検出し（ステップＳＴ２４）、さらに、レリーズボタン１９が半押しされたか否かを判断する（ステップＳＴ２５）。ステップＳＴ２５が否定されるとステップＳＴ２３に戻り、ステップＳＴ２３以降の処理を繰り返す。
【００９３】
ステップＳＴ２５が肯定されると、プレ撮影を行ってプレ画像を取得し、顔検出部８０によるスルー画像からの顔の検出結果を取得し（ステップＳＴ２６）、さらに検出結果に基づいて顔が検出されているか否かを判断する（ステップＳＴ２７）。ステップＳＴ２７が肯定されると、ＣＰＵ７５は現在設定されている撮影モードの種類を判別し（ステップＳＴ２８）、撮影モードの種類に応じて、本撮影時にＡＦ処理機能、ＡＥ処理機能、ＡＷＢ処理機能、フラッシュオン／オフ機能および階調処理機能のいずれを撮影条件および／または画像処理条件として使用するかを設定し、ＡＦ処理部６２、ＡＥ／ＡＷＢ処理部６３、画像処理部６４およびフラッシュ制御部７３に指示を行う（撮影モードに応じた機能設定：ステップＳＴ２９）。そして、ＡＦ処理部６２、ＡＥ／ＡＷＢ処理部６３、画像処理部６４およびフラッシュ制御部７３は、ＣＰＵ７５の指示に応じて、ＡＦ処理、ＡＥ処理、ＡＷＢ処理、フラッシュオン／オフの設定および／または階調処理を設定する（顔検出用の設定：ステップＳＴ３０）。
【００９４】
一方、ステップＳＴ２７が否定されると、ＣＰＵ７５は撮影モードに応じた通常のＡＦ処理、ＡＥ処理、ＡＷＢ処理、フラッシュオン／オフおよび階調処理を行うよう、ＡＦ処理部６２、ＡＥ／ＡＷＢ処理部６３、画像処理部６４およびフラッシュ制御部７３に対して指示を行う（通常の機能設定、ステップＳＴ３１）。そして、ＡＦ処理部６２、ＡＥ／ＡＷＢ処理部６３、画像処理部６４およびフラッシュ制御部７３が、ＣＰＵ７５の指示に応じて、ＡＦ処理、ＡＥ処理、ＡＷＢ処理、フラッシュオン／オフおよび／または階調処理を設定する（通常の設定：ステップＳＴ３２）。
【００９５】
ステップＳＴ３０またはステップＳＴ３２に続いて、ＣＰＵ７５はレリーズボタン１９が全押しされたか否かを判定し（ステップＳＴ３３）、ステップＳＴ３３が否定されると、レリーズボタン１９の半押しが継続されているか否かを判定する（ステップＳＴ３４）。ステップＳＴ３４が肯定されると、顔検出部８０がスルー画像から顔を検出し（ステップＳＴ３５）、ステップＳＴ３３に戻る。ステップＳＴ３４が否定されると、ステップＳＴ２３に戻り、ステップＳＴ２３以降の処理を繰り返す。
【００９６】
ステップＳＴ３５において顔検出を行うことにより、本撮像前に継続してスルー画像に対して、顔検出を行うことができる。
【００９７】
ステップＳＴ３３が肯定されると、本画像の撮影（本撮影）を行い（ステップＳＴ３６）、顔検出部８０が本撮影により取得された本画像から顔を検出し（ステップＳＴ３７）、さらに、本撮影により取得された本画像に対して検出した顔が所望とする画質を有するものとなるように画像処理を施す（ステップＳＴ３８）。
【００９８】
なお、この場合、スルー画像の場合と同様に、本画像を用いて本画像に施すための画像処理の機能を設定し、設定した機能に基づいて本画像に画像処理を施すようにしてもよい。
【００９９】
次いで、処理済みの本画像を液晶モニタ１８に表示するとともに、外部記録メディア７０に記録する（ステップＳＴ３９）。そして、電源がオフとされたか否かを判定し（ステップＳＴ４０）、ステップＳＴ４０が否定されるとステップＳＴ２１に戻り、ステップＳＴ２１以降の処理を繰り返す。ステップＳＴ４０が肯定されると、処理を終了する。
【０１００】
以上、本発明の実施形態に係るデジタルカメラについて説明したが、コンピュータを、上記のＡＦ処理部６２、ＡＥ／ＡＷＢ処理部６３、画像処理部６４およびフラッシュ制御部７３、顔検出部８０およびシーン解析部８２に対応する手段として機能させ、図４に示すような処理を行わせるプログラムも、本発明の実施形態の１つである。また、そのようなプログラムを記録したコンピュータ読取り可能な記録媒体も、本発明の実施形態の１つである。
【符号の説明】
【０１０１】
１      デジタルカメラ
１８    液晶モニタ
２４    フラッシュ
６２    ＡＦ処理部
６３    ＡＥ／ＡＷＢ処理部
６４    画像処理部
７１    表示制御部
７３    フラッシュ制御部
７５    ＣＰＵ
８０    顔検出部
８２    シーン解析部
【図１】
2011254487.tif 000003
【図２】
2011254487.tif 000004
【図３】
2011254487.tif 000005
【図４】
2011254487.tif 000006
【図５】
2011254487.tif 000007
【図６】
2011254487.tif 000008
【図７】
2011254487.tif 000009
【図８】
2011254487.tif 000010
【図９】
2011254487.tif 000011
【図１０Ａ】
2011254487.tif 000012
【図１０Ｂ】
2011254487.tif 000013